(57)【要約】【課題】  従来のサインプレートに比べ、表示できる情報量を飛躍的に増やし、情報伝達性を高めるとともに、利便性及び実用性の向上、更には多機能性及び多様性を含む発展性の向上に寄与する。【解決手段】  部屋ＲのドアＤ又はドアＤの近傍に取付可能なプレート本体部２と、このプレート本体部２の表面２ｆに設けるとともに、部屋Ｒの使用状況に対応した少なくとも三つ以上の異なるサインＳａ，Ｓｂ，Ｓｃ…を表示したサイン表示部３と、異なるサインＳａ，Ｓｂ，Ｓｃ…に沿って設けたガイドレール部４…と、当該ガイドレール部４…に沿ってスライド移動自在に配するとともに、ガイドレール部４…の位置により異なるサインＳａ，Ｓｂ，Ｓｃ…の一つを遮蔽可能なスライドプレート部５ｐ及びこのスライドプレート部５ｐを指で操作可能な係合形状部５ｓを一体に有する少なくとも二つ以上のスライドマスク部５ｘ…，５ｙ…とを具備する。【選択図】  図１
2019066798.tif 000002
【特許請求の範囲】
【請求項１】
部屋の使用状況を表示するサインプレートであって、部屋のドア又はドアの近傍に取付可能なプレート本体部と、このプレート本体部の表面に設けるとともに、部屋の使用状況に対応した少なくとも三つ以上の異なるサインを表示したサイン表示部と、前記異なるサインに沿って設けたガイドレール部と、当該ガイドレール部に沿ってスライド移動自在に配するとともに、前記ガイドレール部の位置により前記異なるサインの一つを遮蔽可能なスライドプレート部及びこのスライドプレート部を指で操作可能な係合形状部を一体に有する少なくとも二つ以上のスライドマスク部とを具備してなることを特徴とするサインプレート。
【請求項２】
前記プレート本体部は、表面に、前記部屋の名称を表示する部屋名表示部を有することを特徴とする請求項１記載のサインプレート。
【請求項３】
前記スライドマスク部の数は、前記異なるサインの数をＮ（Ｎは三以上の自然数）としたとき、Ｎ−１に選定することを特徴とする請求項１記載のサインプレート。
【請求項４】
前記係合形状部は、スライドプレート部の表面に一体に設けた突起部により形成することを特徴とする請求項１記載のサインプレート。
【請求項５】
前記サイン表示部は、前記プレート本体部の表面に、一段又は二段以上に設けることを特徴とする請求項１記載のサインプレート。
【発明の詳細な説明】
【技術分野】
【０００１】
本発明は、部屋のドア等に取付けることにより部屋の使用状況を切換表示する際に用いて好適なサインプレートに関する。
【背景技術】
【０００２】
従来、部屋のドア等に取付けるサインプレートであって、フレーム部の内側に表示部を備えることにより、この表示部に、異なる二つの表示、具体的には、「空室」と「使用中」を切換えて表示できるようにしたサインプレートは広く知られている（例えば、特許文献１参照）。
【先行技術文献】
【特許文献】
【０００３】
【特許文献１】実用新案登録第３１９１５８０号公報
【発明の概要】
【発明が解決しようとする課題】
【０００４】
しかし、この種のサインプレートであって、特に、手の指で操作するマニュアル切換方式のサインプレートは、簡易に構成できるとともに、容易に操作できる反面、次のような問題点も存在した。
【０００５】
即ち、従来のサインプレートは、「空室」又は「使用中」の二つの表示がほとんどであり、表示する情報量としては必ずしも十分であるとはいえない難点があった。特に、「使用中」の場合、どのような使用状況にあるのかが判らないため、例えば、伝達事項等により部屋の中に入りたい場合であっても、どのように対処してよいか判断に迷うことも少なくない、この場合、一例として、取引先との重要な会議では、重要会議（ドア開禁止）を表示したり、或いは社内の比較的重要度の低い会合では、社内会合（ドア開可）を表示するなど、表示できる使用状況の項目が多くなれば、より利便性や使い勝手が高まることも想定される。
【０００６】
このように、従来のサインプレートでは、表示できる情報量の観点からは必ずしも十分な情報量とはいえない難点があり、情報伝達性、更には、利便性や実用性を高める観点からは更なる改善の余地があった。
【０００７】
本発明は、このような背景技術に存在する課題を解決したサインプレートの提供を目的とするものである。
【課題を解決するための手段】
【０００８】
本発明は、上述した課題を解決するため、部屋Ｒの使用状況を表示するサインプレート１であって、部屋ＲのドアＤ又はドアＤの近傍に取付可能なプレート本体部２と、このプレート本体部２の表面２ｆに設けるとともに、部屋Ｒの使用状況に対応した少なくとも三つ以上の異なるサインＳａ，Ｓｂ，Ｓｃ，（Ｓａｅ…）を表示したサイン表示部３と、異なるサインＳａ，Ｓｂ，Ｓｃ，（Ｓａｅ…）に沿って設けたガイドレール部４…と、当該ガイドレール部４に沿ってスライド移動自在に配するとともに、ガイドレール部４…の位置により異なるサインＳａ，Ｓｂ，Ｓｃ，（Ｓａｅ…）の一つを遮蔽可能なスライドプレート部５ｐ及びこのスライドプレート部５ｐを指で操作可能な係合形状部５ｓを一体に有する少なくとも二つ以上のスライドマスク部５ｘ…，５ｙ…とを具備してなることを特徴とする。
【０００９】
この場合、発明の好適な態様により、プレート本体部２は、表面２ｆに、部屋Ｒの名称を表示する部屋名表示部６を設けることができる。なお、スライドマスク部５ｘ，５ｙの数は、異なるサインＳａ…の数をＮ（Ｎは三以上の自然数）としたとき、Ｎ−１に選定することが望ましい。また、係合形状部５ｓは、スライドプレート部５ｐの表面に一体に設けた突起部５ｓｐにより形成することができる。さらに、サイン表示部３は、プレート本体部２の表面２ｆに、一段又は二段以上に設けることができる。
【発明の効果】
【００１０】
このような構成を有する本発明に係るサインプレート１によれば、次のような顕著な効果を奏する。
【００１１】
（１）  部屋Ｒの使用状況に対応した少なくとも三つ以上の異なるサインＳａ，Ｓｂ，Ｓｃ，（Ｓａｅ…）を選択して表示できるため、従来のサインプレートに比べ、表示できる情報量を増やすことができる。この結果、サインプレート１の情報伝達性が飛躍的に高められ、利便性及び実用性の向上に大きく寄与できるとともに、多機能性及び多様性を含めた発展性の向上にも寄与できる。
【００１２】
（２）  好適な態様により、プレート本体部２の表面２ｆに、部屋Ｒの名称を表示する部屋名表示部６を設ければ、サインプレート１が、部屋Ｒの名称を表示する部屋名表示プレートを兼用できるため、別途の部屋名表示プレートを不要にすることができる。この結果、ドアＤ周りの煩雑さを回避できるとともに、コストの抑制にも寄与できる。
【００１３】
（３）  好適な態様により、スライドマスク部５ｘ，５ｙの数を、異なるサインＳａ…の数をＮ（Ｎは三以上の自然数）としたとき、Ｎ−１に選定すれば、機能性を確保する観点から最もシンプルな構成にできるため、デザイン性や低コスト性を確保する観点からも最も有利な形態とすることができる。
【００１４】
（４）  好適な態様により、係合形状部５ｓを、スライドプレート部５ｐの表面に一体に設けた突起部５ｓｐにより形成すれば、比較的単純な形態により実施できるため、シンプル性及び操作性の双方を満たす形態として容易に実施することができる。
【００１５】
（５）  好適な態様により、サイン表示部３を、プレート本体部２の表面２ｆに、一段又は二段以上に設ければ、情報伝達性をより高めることができるとともに、上段と下段を組合わせた表示（メッセージ）が可能になるため、更なる、利便性及び実用性の向上に寄与できるとともに、多機能性及び多様性を含めた発展性の向上に寄与できる。
【図面の簡単な説明】
【００１６】
【図１】本発明の好適実施形態に係るサインプレートの全体正面図、
【図２】同サインプレートのＡ−Ａ線断面図、
【図３】同サインプレートにおけるプレート本体部の正面図、
【図４】同サインプレートのＢ−Ｂ線断面図、
【図５】同サインプレートの分解斜視図、
【図６】同サインプレートの使用方法説明図、
【図７】同サインプレートのスライドマスク部及びその変更例を示す断面図、
【図８】同サインプレートの使用状態説明図、
【図９】同サインプレートの変更例に係るサイン表示部を含む全体正面図、
【発明を実施するための形態】
【００１７】
次に、本発明に係る好適実施形態を挙げ、図面に基づき詳細に説明する。
【００１８】
まず、本実施形態に係るサインプレート１の構成について、図１〜図５及び図７（図８）を参照して具体的に説明する。
【００１９】
本実施形態に係るサインプレート１は、構成部品として、図５に示すように、リアプレート１１，フロントプレート１２，アッパサブプレート１３，ロアサブプレート１４，及び二つのスライドマスク部５ｘ，５ｙを備える。この場合、二つのスライドマスク部５ｘ，５ｙを除く、リアプレート１１，フロントプレート１２，アッパサブプレート１３及びロアサブプレート１４は、部屋ＲのドアＤ又はドアＤ（図８参照）の近傍に取付可能なプレート本体部２を構成する。
【００２０】
本実施形態では、部屋Ｒとして「社長室」を例示する。なお、リアプレート１１，フロントプレート１２，アッパサブプレート１３，ロアサブプレート１４，及び二つのスライドマスク部５ｘ，５ｙは、いずれもプラスチック素材等により一体成形することができるとともに、特に、プレート部品は、プレート材料をカッティング加工することにより、より容易に製作できる利点がある。
【００２１】
リアプレート１１は、平坦な一枚のプレートとして形成するとともに、一定の厚さを有する矩形状に形成する。また、プレート面における所定の複数個所（例示は二個所）には、壁面等へ固定する固定用ネジが挿通するリア側挿通孔２１，２１を貫通形成する。
【００２２】
一方、プレート本体部２の表面２ｆの一部となるリアプレート１１の表面の所定部位には、サイン表示部３を設ける。実施形態のサイン表示部３は、図５に示すように、横方向に等間隔で配した三つの表示エリア３ａ，３ｂ，３ｃを確保し、各表示エリア３ａ，３ｂ，３ｃに、図３に示すように、部屋Ｒの使用状況に対応した異なる三つのサインＳａ，Ｓｂ，Ｓｃを表示する。
【００２３】
例示のサインプレート１は、「社長室」に使用するため、図３に示すように、サインＳａに「来客中」を適用し、サインＳｂに「不在」を適用し、サインＳｃに「在室」を適用した。なお、例示の場合、リアプレート１１は、全体を黒色に選定し、各サインＳａ，Ｓｂ，Ｓｃは、リアプレート１１の表面に対して、凹溝状となる彫り込み文字により形成し、この彫り込み文字を白色に着色した。このように形成することにより、後述するスライドマスク部５ｘ，５ｙを、リアプレート１１の表面に沿ってスライド移動させた場合であっても、各サインＳａ，Ｓｂ，Ｓｃに対して、傷付けたり汚してしまう不具合を回避することができる。
【００２４】
フロントプレート１２は、平坦なプレートとして形成するとともに、一定の厚さを有する全体が矩形状をなす本体板部２２と、この本体板部２２の周りを囲むフレーム部２３により一体に形成する。このフレーム部２３の外郭形状は、上述したリアプレート１１の外郭形状に一致させる。また、本体板部２２は、面積の大きい本体板アッパ部２２ｕと面積の小さい本体板ロア部２２ｄからなり、本体板アッパ部２２ｕと本体板ロア部２２ｄ間には、上述したリアプレート１１に設けたサイン表示部３を露出させる開口窓部２２ｓを形成する。一方、フレーム部２３は、一定の幅を有し、かつ本体板部２２の表面に対して段差を介して所定高さだけ高く形成する。さらに、本体板アッパ部２２ｕには、前述したリアプレート１１のリア側挿通孔２１，２１の位置に対応した（一致した）位置に、フロント側挿通孔２４，２４を形成する。この場合、フロント側挿通孔２４，２４は、固定用ネジを挿通させた際に、固定用ネジの上端が本体板アッパ部２２ｕの表面から突出しないように考慮した内部形状を選定する。
【００２５】
アッパサブプレート１３は、一定の厚さを有する平坦な一枚のプレートとして形成するとともに、全体形状は、上述した本体板アッパ部２２ｕの形状に対して、下辺部を下方へ所定幅分だけ延出させた形状に選定する。これにより、図４に示すように、本体板アッパ部２２ｕの表面にアッパサブプレート１３を重ねるとともに、本体板アッパ部２２ｕの裏面側にリアプレート１１を重ねれば、リアプレート１１とアッパサブプレート１３間には、下方に開口したスリット２５が形成される。このスリット２５は、ガイドレール部４におけるアッパガイドレール４ｕを構成する。
【００２６】
また、プレート本体部２の表面２ｆの一部となるアッパサブプレート１３の表面には、図１に示すように、部屋Ｒの名称を表示する部屋名表示部６を設ける。例示の場合、前述した「社長室」の文字を表示する。このように、プレート本体部２の表面２ｆに、部屋Ｒの名称を表示する部屋名表示部６を設ければ、サインプレート１が、部屋Ｒの名称を表示する部屋名表示プレートを兼用できるため、別途の部屋名表示プレートを不要にすることができる。この結果、ドアＤ周りの煩雑さを回避できるとともに、コストの抑制にも寄与できる利点がある。
【００２７】
ロアサブプレート１４は、一定の厚さを有する平坦な一枚のプレートとして形成するとともに、全体形状は、上述した本体板ロア部２２ｄの形状に対して、上辺部を上方へ所定幅分だけ延出させた形状に選定する。これにより、図４に示すように、本体板ロア部２２ｄの表面にロアサブプレート１４を重ねるとともに、本体板ロア部２２ｄの裏面側にリアプレート１１を重ねれば、リアプレート１１とロアサブプレート１４間には、上方に開口したスリット２６が形成される。このスリット２６は、ガイドレール部４におけるロアガイドレール４ｄを構成する。したがって、これにより、ロアガイドレール４ｄと上述したアッパガイドレール４ｕが組合わさることにより、異なるサインＳａ，Ｓｂ，Ｓｃに沿って設けるとともに、後述するスライドマスク部５ｘ，５ｙをスライド移動可能にガイドするガイドレール部４を構成する。
【００２８】
スライドマスク部５ｘは、図５に示すように、スライドプレート部５ｐと係合形状部５ｓを一体に形成する。スライドプレート部５ｐは、略矩形状に形成することにより、上辺部が上述したアッパガイドレール４ｕを構成するスリット２５内に係合し、下辺部が上述したロアガイドレール４ｄを構成するスリット２６内に係合する。したがって、スライドプレート部５ｐの縦方向寸法は、スリット２５と２６間に係合可能な寸法を選定するとともに、横方向寸法は、サインＳａ，Ｓｂ，Ｓｃの一つを遮蔽可能な寸法を選定する。また、スライドプレート部５ｐの厚さ寸法は、スリット２５，２６の幅よりもやや薄くなる寸法を選定するとともに、スライドプレート部５ｐの裏面は、ヘアライン処理等により、リアプレート１１に対する接触面積が小さくなり、円滑にスライド移動できるように考慮することが望ましい。
【００２９】
一方、係合形状部５ｓは、スライドプレート部５ｐを手の指で容易に操作できる形状を考慮する。図７（ａ）に、基本の実施形態に係る係合形状部５ｓを示す。この係合形状部５ｓは、スライドプレート部５ｐの表面に一体に設けた突起部５ｓｐにより形成した。また、図７（ｂ）は、突起部５ｓｐを形成するに際し、図７（ａ）に示した突起部５ｓｐよりも、より小さいボス形状により形成したものであり、指を引掛けるというよりも指の滑り止めを考慮した。このような突起部５ｓｐより形成すれば、比較的単純な形態により実施できるため、シンプル性及び操作性の双方を満たす形態として容易に実施できる利点がある。なお、スライドマスク部５ｘは、スライドプレート部５ｐと係合形状部５ｓを一体成形品として構成してもよいし、別体に形成したスライドプレート部５ｐと係合形状部５ｓの二部品を接着等により固定して構成してもよい。
【００３０】
さらに、図７（ｃ）は、変更例に係る係合形状部５ｓを示す。図７（ｃ）は、係合形状部５ｓを形成するに際し、スライドプレート部５ｐの表面に、凹形状部５ｓｉを形成した。この形状も指の滑り止めを考慮したものである。このように、スライドマスク部５ｘに設ける係合形状部５ｓは、機能性及びデザイン性等を考慮した各種形態により実施することができる。
【００３１】
スライドマスク部５ｙは、上述したスライドマスク部５ｘと同一に形成する。したがって、スライドマスク部５ｘを二つ用意し、一方をスライドマスク部５ｘに使用し、他方をスライドマスク部５ｙに使用することができる。なお、例示の場合、二つのスライドマスク部５ｘ，５ｙを使用したが、必ずしも二つにしないと実施できないものではない。即ち、スライドマスク部５ｘの横方向寸法を半分にしたスライドマスク部を四つ用いても実施可能であるが、実施形態のように、スライドマスク部５ｘ，５ｙの数を選定するに際し、異なるサインＳａ…の数をＮ（Ｎは三以上の自然数）としたとき、Ｎ−１に選定すれば、機能性を確保する観点から最もシンプルな構成にできるため、デザイン性や低コスト性を確保する観点からも最も有利な形態とすることができる。
【００３２】
次に、本実施形態に係るサインプレート１の製作方法について、図１〜図５を参照して説明する。
【００３３】
まず、図５に示す構成部品である、リアプレート１１，フロントプレート１２，アッパサブプレート１３，ロアサブプレート１４，及び二つのスライドマスク部５ｘ，５ｙをそれぞれ用意する。
【００３４】
そして、最初に、リアプレート１１の表面に、フロントプレート１２を貼り付ける。次いで、フロントプレート１２における開口窓部２２ｓに、スライドマスク部５ｘ，５ｙを並べて収容する。次いで、アッパサブプレート１３を、フロントプレート１２の本体板アッパ部２２ｕに取付けるとともに、ロアサブプレート１４を、フロントプレート１２の本体板ロア部２２ｄに取付ける。
【００３５】
なお、アッパサブプレート１３を、フロントプレート１２の本体板アッパ部２２ｕに取付けるに際しては、着脱可能に構成することが望ましい。具体的には、凹凸係合による嵌め込み方式等を採用することにより着脱可能に構成することができる。これにより、プレート本体部２をドアＤ等に取付ける場合であって、固定用ネジを用いて取付ける場合には、アッパサブプレート１３をフロントプレート１２側から一旦取り外し、この後、固定用ネジを、開放されたフロント側挿通孔２４，２４、更にはリア側挿通孔２１，２１を通して取付けた後、再度、アッパサブプレート１３をフロントプレート１２側に取付けることができる。
【００３６】
以上の製作工程を経ることにより、図１及び図２に示す目的のサインプレート１を得ることができる。このように、本実施形態に係るサインプレート１は、極めて容易に製作することができる。
【００３７】
次に、本実施形態に係るサインプレート１の取付方法及び使用方法について、図１〜図８を参照して説明する。
【００３８】
最初に、サインプレート１の取付方法について説明する。サインプレート１を取付けるには、図８に示すように、部屋Ｒに付設した開閉式のドアＤの表側の外面に、サインプレート１の裏面を取付けることができる。取付けに際しては、両面テープや接着剤等の固定手段を用いることにより、リアプレート１１の裏面を直接固定してもよいし、上述したように、フロント側挿通孔２４，２４及びリア側挿通孔２１，２１に挿通させた二本の固定用ネジを用いて取付けてもよい。このような取付手段の選定は、取付面の素材や構造（凹凸面等）に応じた各種固定手段を選定することができる。なお、例示は、ドアＤに取付けた態様を示したが、ドアＤの近傍に位置する壁面Ｗ…に取付けてももちろんよい。図８中、Ｄｎはドアレバーを示す。
【００３９】
次に、サインプレート１の使用方法について説明する。今、図６（ａ）に示すように、二つのスライドマスク部５ｘ，５ｙの双方が、図の右側寄りに位置しているものとする。即ち、スライドマスク部５ｙは右端に、スライドマスク部５ｘは中央にそれぞれ位置しているものとする。この結果、スライドマスク部５ｙによりサインＳｃが遮蔽されるとともに、スライドマスク部５ｘによりサインＳｂが遮蔽されるため、サインＳａのみが露出し、「来客中」が表示状態となる。
【００４０】
一方、この状態において、スライドマスク部５ｘの係合形状部５ｓ（突起部５ｓｐ）を指で操作し、図６（ａ）の左方、即ち、矢印Ｆａ方向へスライド移動させ、左端に位置させれば、スライドマスク部５ｘによりサインＳａが遮蔽される。この場合、スライドマスク部５ｙが右端に位置する状態は変わらないため、図６（ｂ）に示すように、サインＳｂのみが露出し、「不在」が表示状態となる。
【００４１】
また、この状態において、スライドマスク部５ｙの係合形状部５ｓ（突起部５ｓｐ）を指で操作し、図６（ｂ）の左方、即ち、矢印Ｆｂ方向へスライド移動させ、中央に位置させれば、スライドマスク部５ｙによりサインＳｂが遮蔽される。この場合、スライドマスク部５ｘが左端に位置する状態は変わらないため、図６（ｃ）に示すように、サインＳｃのみが露出し、「在室」が表示状態となる。
【００４２】
このように、本実施形態に係るサインプレート１は、基本構成として、部屋ＲのドアＤ（又はドアＤの近傍）に取付可能なプレート本体部２と、このプレート本体部２の表面２ｆに設けるとともに、部屋Ｒの使用状況に対応した三つの異なるサインＳａ，Ｓｂ，Ｓｃを表示したサイン表示部３と、異なるサインＳａ，Ｓｂ，Ｓｃに沿って設けたガイドレール部４と、当該ガイドレール部４に沿ってスライド移動自在に配するとともに、ガイドレール部４の位置により異なるサインＳａ，Ｓｂ，Ｓｃの一つを遮蔽可能なスライドプレート部５ｐ及びこのスライドプレート部５ｐを指で操作可能な係合形状部５ｓを一体に有する二つのスライドマスク部５ｘ，５ｙとを具備してなるため、部屋Ｒの使用状況に対応した三つの異なるサインＳａ，Ｓｂ，Ｓｃを選択して表示することができる。したがって、従来のサインプレートに比べ、表示できる情報量を増やすことができる。この結果、サインプレート１の情報伝達性が飛躍的に高められ、利便性及び実用性の向上に大きく寄与できるとともに、多機能性及び多様性を含めた発展性の向上にも寄与できる。
【００４３】
他方、図９には、変更例に係るサイン表示部３を備えたサインプレート１の全体正面図を示す。このサイン表示部３は、図１に示したサイン表示部３と同様に構成した上側サイン表示部３ｏと下側サイン表示部３ｅを上下二段構成に組合わせたものである。即ち、図１に示したサイン表示部３を上下の位置にそれぞれ配したものであり、例示の場合、計六種類の異なる表示が可能になる。この場合、各サインＳｂ…は、それぞれ独立した表示であってもよいし、下側サイン表示部３ｅのサインＳａｅ…は、上側サイン表示部３ｏの表示に関連付けた表示であってもよい。関連付けの例としては、上側サイン表示部３ｏに「不在」を表示した場合、下側サイン表示部３ｅに、「社内」，「外出」，「（空白）」等を表示することができ、図９は、表示エリア３ａｅにサインＳａｅとして「社内」を表示した例を示す。また、「（空白）」は、スライドマスク部５ｘ…と同色にすれば、下側サイン表示部３ｅを事実上目立たない状態にすることができる。
【００４４】
このように、サイン表示部３を、プレート本体部２の表面２ｆに、二段（一般的には、二段以上）にして設ければ、情報伝達性をより高めることができるとともに、上段と下段を組合わせた表示（メッセージ）が可能になるため、更なる、利便性及び実用性の向上に寄与できるとともに、多機能性及び多様性を含めた発展性の向上に寄与できる。なお、１４ｅは、上側サイン表示部３ｏと下側サイン表示部３ｅ間に配するミドルサブプレートを示し、このミドルサブプレート１４ｅの上端に上側のスライドマスク部５ｘ，５ｙをガイドするロアガイドレール４ｄを形成するとともに、下端に下側のスライドマスク部５ｘ，５ｙをガイドするアッパガイドレール４ｄを形成する。その他、図９において、図１と同一部分には同一符号を付して、その構成を明確にするとともに、その詳細な説明は省略する。
【００４５】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。
【００４６】
例えば、部屋Ｒとして「社長室」を例示したが、その他、「会議室」等の各種部屋Ｒに利用することができる。また、使用状況のサインＳａ，Ｓｂ，Ｓｃ，（Ｓａｅ…）として、「来客中」，「不在」，「在室」等を例示したが、「会議室」等に適用し、前述した「重要会議（ドア開禁止）」，「社内会合（ドア開可）」等の様々なサインを適用可能である。一方、プレート本体部２は、表面２ｆに、部屋Ｒの名称を表示する部屋名表示部６を設けた場合を示したが、既に、部屋名を表示したサインプレートが別途取付られているような場合には、部屋名表示部６は必ずしも設けることを要しない。
【００４７】
また、例示の場合、一段当たり、スライドマスク部５ｘ，５ｙの数を二つとし、異なるサインＳａ，Ｓｂ，Ｓｃの数を三つとしたが、スライドマスク部５ｘ…の数は、一般的に二つ以上の任意の数を選定できるとともに、異なるサインＳａ…の数は、一般的に三つ以上の任意の数を選定できる。さらに、係合形状部５ｓは、スライドプレート部５ｐの表面に一体に設けた突起部５ｓｐにより形成した場合を例示したが、前述したように、凹部形状等の他の形状により形成してもよいし、或いはスライドプレート部５ｐの表面に滑り止め処理を施すことにより、スライドプレート部５ｐの表面を係合形状部５ｓに直接兼用させてもよい。なお、素材や色等は、例示に限らず、各種素材や色を選定できる。特に、素材については、プラスチック素材を例示したが、主にプレート材を使用するため、金属素材や木質素材等を使用した場合であっても容易に製作することができる。
【産業上の利用可能性】
【００４８】
本発明に係るサインプレートは、部屋のドア等に取付けることにより部屋の使用状況、特に、異なる三つ以上の状況を切換表示する各種用途に利用できる。
【符号の説明】
【００４９】
１：サインプレート，２：プレート本体部，２ｆ：プレート本体部の表面，３：サイン表示部，４：ガイドレール部，５ｐ：スライドプレート部，５ｓ：係合形状部，５ｘ：スライドマスク部，５ｙ：スライドマスク部，５ｓｐ：突起部，６：部屋名表示部，Ｒ：部屋，Ｄ：ドア，Ｓａ：サイン，Ｓｂ：サイン，Ｓｃ：サイン，（Ｓａｅ…）：サイン
【図１】
2019066798.tif 000003
【図２】
2019066798.tif 000004
【図３】
2019066798.tif 000005
【図４】
2019066798.tif 000006
【図５】
2019066798.tif 000007
【図６】
2019066798.tif 000008
【図７】
2019066798.tif 000009
【図８】
2019066798.tif 000010
【図９】
2019066798.tif 000011